(57)【要約】【課題】  ケーシングに排便・小便の跳ね返りや飛び散り等によって付着した汚水を、清掃によって手を汚すことなく、簡単な構成で洗い流すことを可能とし、清掃性が良好な便器装置を提供する。【解決手段】  本発明では、トイレルームの便器装置において、特に排便・小便の跳ね返りや飛び散り等によって汚れやすいと想定されるケーシング３の下面であって前記便器１２開口部の内側領域の洗浄面１１ａ全域に向けて吐水する吐水手段１０を設けた。【選択図】  図２
2005105546.tif 000002
【特許請求の範囲】
【請求項１】
便器に固定されたケーシングと、このケーシング内に設けられた洗浄水供給手段と、この洗浄水供給手段を制御する制御手段とを備え、前記制御手段によって洗浄水供給手段から供給された洗浄水を前記ケーシングへ向けて吐水する吐水手段を備えたことを特徴とする便器装置。
【請求項２】
請求項１に記載の便器装置において、前記吐水手段は前記ケーシングの下面であって、前記便器開口部の内側領域に向けて吐水することを特徴とする便器装置。
【請求項３】
請求項１に記載の便器装置において、前記吐水手段は前記ケーシングの前面に向けて吐水することを特徴とする便器装置。
【請求項４】
請求項１から３何れか一項記載の便器装置において、前記ケーシングとしては、このケーシングの所定範囲を覆うカバー部材を含むことを特徴とする便器装置。
【請求項５】
請求項４に記載の便器装置において、前記カバー部材は、前記ケーシングの下面のうち、前記便器開口部の内側領域を覆っていることを特徴とする便器装置。
【請求項６】
請求項１から５の何れか一項に記載の便器装置において、前記吐水手段によって洗浄される洗浄面は略平坦な形状であることを特徴とする便器装置。
【請求項７】
請求項１から６の何れか一項に記載の便器装置において、前記吐水手段によって洗浄される洗浄面は機能的な表面層を形成していることを特徴とする便器装置。
【請求項８】
請求項１から７の何れか一項に記載の便器装置において、前記吐水手段は、水を貯溜する貯溜室と、前記吐水手段によって洗浄される洗浄面の全域に向けた開口部とからなることを特徴とする便器装置。
【請求項９】
請求項８に記載の便器装置において、前記貯溜室は給水時に大気圧以上の内圧を生ぜしめたことを特徴とする便器装置。
【請求項１０】
請求項８または９に記載の便器装置において、前記洗浄面の外周の一部に沿って、前記吐水手段より噴出された水を前記便器開口部内に導くガイド部材を配置したことを特徴とする便器装置。
【請求項１１】
請求項１から１０の何れか一項に記載の便器装置において、前記洗浄水供給手段は、給水圧に係わらず所定の流量を得るための定流量手段と、給水経路の開閉を行う電動開閉弁を備えたことを特徴とする便器装置。
【請求項１２】
請求項１１に記載の便器装置において、前記電動開閉弁の下流に、水を所定の温度の温水とさせる熱交換器を設けたことを特徴とする便器装置。
【請求項１３】
請求項１から１０の何れか一項に記載の便器装置において、前記便器装置は人体の局部を洗浄する温水洗浄手段を備えており、前記洗浄水供給手段は、前記温水洗浄手段の水路構成部品であって、給水圧に係わらず所定の流量を得るための定流量手段、および給水経路の開閉を行う電動開閉弁と、その下流より分岐して前記吐水手段に至る給水路とから成ることを特徴とする便器装置。
【請求項１４】
請求項１３に記載の便器装置において、前記洗浄水供給手段は前記温水洗浄手段の水路構成部品であって、前記定流量手段および前記電動開閉弁の下流に配置され水を所定の温度の温水とさせる熱交換器を更に備え、前記給水路はこの下流より分岐して前記吐水手段に至ることを特徴とする便器装置。
【請求項１５】
請求項１から１４の何れか一項に記載の便器装置において、前記洗浄水供給手段にはバキュームブレーカを設けたことを特徴とする便器装置。
【請求項１６】
請求項１から１５の何れか一項に記載の便器装置において、前記便器装置内に人体のトイレ使用の有無を検知する使用検知手段を設け、前記制御手段は前記使用検知手段の出力信号に基づいて前記洗浄水供給手段を作動することを特徴とする便器装置。
【請求項１７】
請求項１６に記載の便器装置において、前記制御手段は前記使用検知手段の出力信号が検知状態となった後に、予め設定しておいた所定時間前記洗浄水供給手段を作動することを特徴とする便器装置。
【請求項１８】
請求項１６に記載の便器装置において、前記制御手段は前記使用検知手段の出力信号が検知状態となった後より、少なくとも非検知状態となるまでの間前記洗浄水供給手段を作動することを特徴とする便器装置。
【請求項１９】
請求項１６に記載の便器装置において、前記制御手段は前記使用検知手段の出力信号が非検知状態となった後に、予め設定しておいた所定時間前記洗浄水供給手段を作動することを特徴とする便器装置。
【発明の詳細な説明】
【技術分野】
【０００１】
本発明は、トイレルームの便器装置に係り、特に便器や便器装置の掃除に好適な構造に関する発明である。 
【背景技術】
【０００２】
従来、便器開口部に面しているケーシング下面の領域、およびケーシング前面には、排便・小便の跳ね返りや飛び散り等によって汚水が付着する為、清掃が必要とされた。
そこで、図１３のように、便器装置２本体を上昇させることにより、便器装置２下面と便器１２上面の間の隙間を露出させて、便器１２開口部に面しているケーシング３下面の領域、および、便器装置２下面と便器１２上面の間のわずかな隙間の清掃を可能としたものがある（例えば、特許文献１参照）。 
このような場合、手動で便器装置２を上昇させる場合、多機能を有する便器装置２が重く、ご年配の方々や腰痛を患っている方々等においては、便器装置２を持ち上げることが困難であった。また、上昇時にも、上昇位置でのロック機構があるものもあるが、ロックが不完全な場合、ロックが外れて便器装置２下面と便器１２上面の間に指を挟んでしまうという可能性があった。あるいは、自動で便器装置２を上昇させる場合、モータ等の昇降機構２７を便器装置２内に設ける必要がある為、構成が複雑となり、製作に莫大なコストと時間を費やすことを余儀なくされるという問題があった。また、便器装置２を上昇させた後には、便器１２開口部に面しているケーシング３下面の領域、および、便器装置２下面と便器１２上面の間のわずかな隙間の清掃が必要であり、掃除の手間となっていた。
【０００３】
また、図１４のように、ケーシング３前面に着脱可能な着脱パネル２８を備えたものがある（特許文献２参照。）。これにより、着脱パネル２８を取り外すことによって、着脱パネル２８の前面、下面および便器１２上面の清掃を可能としたものである。
このような場合、ケーシング３と着脱パネル２８の間には隙間が形成される為、例えば男性の立小便が便器２の前方上方から放たれ、狙いが外れて小水がケーシング３の前方に被ってしまった場合には、隙間から小水が侵入し、ケーシング３内部にまで到達する可能性がある。また、着脱パネル２８を着脱可能とする為には、着脱パネル２８によって囲われるスペースにケーシング３内部との連結部品を配置することが困難な為、デッドスペースが多く発生してコンパクトな収納設計が困難となり、ケーシング３が大きくなって清掃の際に大変であるという問題があった。また、着脱パネル２８の掃除の際には、汚水の付着した着脱パネル２８を取り外す必要があるので、手が汚れてしまうという問題があった。さらに、着脱パネル２８自体の清掃が必要であり、掃除の手間となっていた。
【特許文献１】特許第３２４８１１９号公報（第７頁、第１図）
【特許文献２】特許第３０７０１９９号公報（第３頁、第１図）
【発明の開示】
【発明が解決しようとする課題】
【０００４】
本発明は、上記問題を解決するためになされたもので、本発明の課題は、ケーシングに排便・小便の跳ね返りや飛び散り等によって付着した汚水を、清掃によって手を汚すことなく、簡単な構成で洗い流すことを可能とし、清掃性が良好な便器装置を提供するものである。
【課題を解決するための手段】
【０００５】
上記目的を達成するために、請求項１記載の発明によれば、便器に固定されたケーシングと、このケーシング内に設けられた洗浄水供給手段と、この洗浄水供給手段を制御する制御手段とを備え、前記制御手段によって洗浄水供給手段から供給された洗浄水を前記ケーシングへ向けて吐水する吐水手段を備えたことを特徴とする。これにより、特に排便・小便の跳ね返りや飛び散り等によって汚れやすいと想定されるケーシングの表面に沿って洗浄水を供給することにより、ケーシングの表面に付着した汚水を洗い流すことが出来、手を汚すことなく清掃することが可能である。
【０００６】
また、請求項２記載の発明によれば、前記吐水手段は前記ケーシングの下面であって、前記便器開口部の内側領域に向けて吐水することを特徴とする。これにより、特に排便・小便の跳ね返りや飛び散り等によって汚れやすいと想定されるケーシングの下面のうち便器開口部の内側領域を、簡単な構成で洗い流すことが可能である。
【０００７】
また、請求項３記載の発明によれば、前記吐水手段は前記ケーシングの前面に向けて吐水することを特徴とする。これにより、特に男性の立ち小便によって汚れやすいと想定されるケーシングの前面を、簡単な構成で洗い流すことが可能である。
【０００８】
また、請求項４記載の発明によれば、前記ケーシングとしては、このケーシングの所定範囲を覆うカバー部材を含むことを特徴とする。これにより、特に排便・小便の跳ね返りや飛び散り等によって汚れやすいと想定されるケーシングを覆うカバー部材の表面に沿って洗浄水を供給することにより、カバー部材の表面に付着した汚水を洗い流すことが出来、手を汚すことなく清掃することが可能である。
【０００９】
また、請求項５記載の発明によれば、前記カバー部材は、前記ケーシングの下面のうち、前記便器開口部の内側領域を覆っていることを特徴とする。これにより、特に排便・小便の跳ね返りや飛び散り等によって汚れやすいと想定されるケーシングの下面のうち便器開口部の内側領域から汚れを防ぐ為のカバー部材の表面に付着した汚水を、簡単な構成で洗い流すことが可能である。
【００１０】
また、請求項６記載の発明によれば、前記吐水手段によって洗浄される洗浄面は略平坦な形状であることを特徴とする。これにより、吐水手段によって洗浄面をまんべんなく洗浄することが可能である。
【００１１】
また、請求項７記載の発明によれば、前記吐水手段によって洗浄される洗浄面は機能的な表面層を形成していることを特徴とする。これにより、例えば洗浄面の表面に防汚素材を塗布することで、洗浄面に対して汚物が付着しにくく、洗い落とし易くすることが可能となる。また、洗浄面の表面に抗菌素材を塗布することで、細菌などの繁殖を防ぎ清潔に保つことが可能となる。さらに、洗浄面の表面に親水性の素材を塗布することで、洗浄面が水に馴染み易く、少量の水でも洗浄面全体に渡って広く洗浄することが可能である。
【００１２】
また、請求項８記載の発明によれば、前記吐水手段は、水を貯溜する貯溜室と、前記吐水手段によって洗浄される洗浄面の全域に向けた開口部とからなることを特徴とする。これにより、吐水手段によって、洗浄面の全範囲を洗浄することが可能である。
【００１３】
また、請求項９記載の発明によれば、前記貯溜室は給水時に大気圧以上の内圧を生ぜしめたことを特徴とする。これにより、吐水手段は強力な勢いで洗浄面を洗浄することが可能である。
【００１４】
また、請求項１０記載の発明によれば、前記洗浄面の外周の一部に沿って、前記吐水手段より噴出された水を前記便器開口部内に導くガイド部材を配置したことを特徴とする。これにより、洗浄面を洗浄した水は、便器外にこぼれることなく便器開口部内に排水されるので、床面を浸水から防ぐことが可能である。
【００１５】
また、請求項１１記載の発明によれば、前記洗浄水供給手段は、給水圧に係わらず所定の流量を得るための定流量手段と、給水経路の開閉を行う電動開閉弁を備えたことを特徴とする。これにより、便器装置の設置場所毎の給水圧のバラツキをなくして所定の圧力で安定した水量で、洗浄水供給手段に給水すべきタイミングで給水することが可能となる。
【００１６】
また、請求項１２記載の発明によれば、前記電動開閉弁の下流に、水を所定の温度の温水とさせる熱交換器を設けたことを特徴とする。これにより、温水による洗浄面の洗浄を行うことで、洗浄面の洗浄を効果的に行うことが可能である。
【００１７】
また、請求項１３記載の発明によれば、前記便器装置は人体の局部を洗浄する温水洗浄手段を備えており、前記洗浄水供給手段は、前記温水洗浄手段の水路構成部品であって、給水圧に係わらず所定の流量を得るための定流量手段、および給水経路の開閉を行う電動開閉弁と、その下流より分岐して前記吐水手段に至る給水路とから成ることを特徴とする。これにより、洗浄水供給手段独自に定流量手段、電動開閉弁等を作製する必要はなく、温水洗浄手段の定流量手段、電動開閉弁を共用することが出来るので、作製に必要なコスト、時間を大幅に低減させることが可能である。また、これにより、便器装置の設置場所毎の給水圧のバラツキをなくして所定の圧力で安定した水量で、洗浄水供給手段に給水すべきタイミングで給水することが可能となる。
【００１８】
また、請求項１４記載の発明によれば、前記洗浄水供給手段は前記温水洗浄手段の水路構成部品であって、前記定流量手段および前記電動開閉弁の下流に配置され水を所定の温度の温水とさせる熱交換器を更に備え、前記給水路はこの下流より分岐して前記吐水手段に至ることを特徴とする。これにより、洗浄水供給手段独自の熱交換器を新たに作製する必要はなく温水洗浄手段の熱交換器を共用することが出来るので、作製に必要なコスト、時間を大幅に低減させることが可能である。また、これにより、温水による洗浄面の洗浄を行うことで、洗浄面の洗浄を効果的に行うことが可能である。
【００１９】
また、請求項１５記載の発明によれば、前記洗浄水供給手段にはバキュームブレーカを設けたことを特徴とする。これにより、例えば吐水手段を便器開口部内に配置した場合に、万一便器が詰まって便器開口部内が浸水し、且つ給水部が負圧となり、さらに逆流防止を担う逆止弁に例えばゴミが噛んでしまってその効果が失われてしまうと、便器開口部内に水没した吐水手段から便器開口部に溢れた汚水が給水配管まで逆流してしまう恐れがあるが、吐水手段の上流にバキュームブレーカを設けることで、汚水の給水配管までの逆流を防ぐことが可能である。また、洗浄水供給手段の作動後に給水経路内には残水が残ってしまい、凍結時に吐水手段の破壊を引き起こすことが考えられるが、吐水手段の上流にバキュームブレーカを設けることで、給水経路内の残水はエア置換され、残水が抜けるので、凍結による破損を防止することが可能となる。この時、給水経路内の残水がしっかりと抜けるよう、バキュームブレーカは吐水手段よりも高い位置に設置する必要がある。
【００２０】
また、請求項１６記載の発明によれば、前記便器装置内に人体のトイレ使用の有無を検知する使用検知手段を設け、前記制御手段は前記使用検知手段の出力信号に基づいて前記洗浄水供給手段を作動することを特徴とする。これにより、人体のトイレ使用毎に洗浄面を洗浄することが出来るので、常に洗浄面を清潔に保つことが可能となる。
【００２１】
また、請求項１７記載の発明によれば、前記制御手段は前記使用検知手段の出力信号が検知状態となった後に、予め設定しておいた所定時間前記洗浄水供給手段を作動することを特徴とする。これにより、人体がトイレを使用するよりも事前に洗浄面を濡らすことで、汚水が洗浄面に付着しにくくすることが可能である。
【００２２】
また、請求項１８記載の発明によれば、前記制御手段は前記使用検知手段の出力信号が検知状態となった後より、少なくとも非検知状態となるまでの間前記洗浄水供給手段を作動することを特徴とする。これにより、人体のトイレ使用中に常に洗浄面を洗浄させることで、洗浄面へ汚水が付着することを防止することが可能である。あるいは洗浄水供給手段の作動を意図している間中洗浄面を洗浄させることで、トイレ掃除の際にも洗浄面洗浄手段を作動させることが可能となる。
【００２３】
また、請求項１９記載の発明によれば、前記制御手段は前記使用検知手段の出力信号が非検知状態となった後に、予め設定しておいた所定時間前記洗浄水供給手段を作動することを特徴とする。これにより、人体のトイレ使用後に洗浄面を洗浄させることで、洗浄面に付着した汚水を洗浄することが可能である。
【発明の効果】
【００２４】
本発明によれば、ケーシングに排便・小便の跳ね返りや飛び散り等によって付着した汚水を、清掃によって手を汚すことなく、簡単な構成で洗い流すことを可能とし、清掃性が良好であるという効果がある。
【発明を実施するための最良の形態】
【００２５】
以下に本発明の形態を、図面を用いて詳細に説明する。
【００２６】
まず、図１を用いて、本発明の第一実施例の水路構成を説明する。
給水源１より給水された水は便器装置２のケーシング３内に入る。ケーシング３内では、まずストレーナ４によって給水された水に含まれるゴミが取り除かれる。これにより、ストレーナ４より下流に配置した各弁でのゴミ詰まりを防止するものである。次にストレーナ４の下流に逆止弁５を配置している。これにより、給水源１に負圧が生じた場合の水路内の逆流を防止するものである。
【００２７】
次に逆止弁５の下流に定流量手段６を配置している。これは、例えば減圧弁や定流量弁等のようなもので、給水圧を一定の水圧に減圧させ、吐水性能を安定させるものである。次に定流量手段６の下流に電動開閉弁７を配置している。これは、例えば電磁弁やモーターバルブ等のようなもので、電動で水路の開閉を行い、吐水すべきタイミングで水路を開くものである。
【００２８】
次に電動開閉弁７の下流に安全弁８を配置している。これにより、定流量手段６が故障して定流量手段６以降の水路に高圧が印加された場合に、安全弁８より水を排出させ、その下流に配置した各部材が高圧によって悪影響を及ぼされることを防止するものである。さらに、安全弁８の下流にバキュームブレーカ９を配置し、その下流に洗浄面洗浄ノズル１０を配置している。
【００２９】
次に、図２、図３を用いて、本発明の第一実施例の洗浄面１１ａの洗浄方法について説明する。
図２では、洗浄面１１ａとして、ケーシング３の下面のうちの便器１２開口部の内側領域を想定している。この箇所は、例えば排便、排尿時に、便器１２開口内の溜水面より跳ね返った汚水、あるいは飛び散った汚水が最も付着し易い面であると想定される。洗浄面洗浄ノズル１０は洗浄面１１ａの前方に配置している。洗浄面洗浄ノズル１０の入水口１０ａに給水された水は、洗浄面１１ａの前方に設けた貯溜室１０ｂに広がり、洗浄面１１ａに向かって、噴出口１０ｃより前方から後方に噴出されて洗浄面１１ａを洗浄する。洗浄面１１ａは水がまんべんなく広がるよう、平坦な形状としておくことが望ましい。この時、後方に向かって噴出された水が、便器１２上面とケーシング３下面の隙間に侵入しないよう、洗浄面１１ａの後方にはケーシング３下面より便器１２開口内の下方に突出させたガイド１３ａを配置している。
【００３０】
ケーシング３の表面、あるいは便器１２の遠隔から操作可能なリモコンに洗浄面１１ａ洗浄用のスイッチ（図示せず）を設け、スイッチＯＮの信号を受信することにより、電動開閉弁７が所定時間開き、水路に通水するように制御している。
これにより、便器１２および便器装置２を清掃する時、あるいは用便後等に洗浄面１１ａを洗浄する必要がある場合に、洗浄面１１ａ洗浄用のスイッチを押すことによって、便器１２開口内の溜水面より跳ね返った汚水、あるいは飛び散った汚水が最も付着し易い面であると想定される洗浄面１１ａを洗浄することが出来るので、洗浄面１１ａを手を汚さずに、労なく汚水を洗い流すことが出来る。
【００３１】
ここで、洗浄面洗浄ノズル１０の上流にバキュームブレーカ９を配置しており、これは２つの重大な役割を担っている。まず第一に、汚水の逆流防止である。本第一実施例の場合、洗浄面洗浄ノズル１０の噴出口１０ｃは便器１２の開口内であって便器１２の上面よりも下方に設けている。この時に万一便器１２が詰まって便器１２開口部内が浸水して噴出口１０ｃから汚水が入り込み、且つ給水源１が負圧となり、さらに逆流防止を担う逆止弁５に例えばゴミが噛んでしまってその効果が失われてしまうと、便器１２開口部内に水没した洗浄面洗浄ノズル１０から便器１２開口部に溢れた汚水が給水配管まで逆流してしまう恐れがある。
しかし、洗浄面洗浄ノズル１０の上流にバキュームブレーカ９を設けることで、給水源１が負圧となった場合でも、洗浄面洗浄ノズル１０からの水は吸わずにバキュームブレーカ９より空気を吸入することになるので、汚水の給水配管までの逆流を防ぐことが出来る。
【００３２】
また第二に、洗浄面１１ａを洗浄した後に洗浄面洗浄ノズル１０内に残る残水の処理を行う。もし洗浄面洗浄ノズル１０内に残水が残ったままの状態において凍結した場合、水が氷に変化する際に体積が膨張して洗浄面洗浄ノズル１０を破壊してしまう恐れがある。
しかし、バキュームブレーカ９を洗浄面洗浄ノズル１０の上流に配置することにより、洗浄面１１ａを洗浄した後、バキュームブレーカ９より空気を吸入して、バキュームブレーカ９の下流の管内および洗浄面洗浄ノズル１０内の残水をエア置換によって排出し、凍結時の破損を防止することが出来る。この場合、残水がしっかりと排出されるよう、バキュームブレーカ９は洗浄面洗浄ノズル１０よりも上方に配置する必要がある。これにより、残水にはバキュームブレーカ９と洗浄面洗浄ノズル１０の高低差による水頭圧が印加され、残水は洗浄面洗浄ノズル１０の噴出口１０ｃより排出されることになる。
【００３３】
この時、洗浄面洗浄ノズル１０の上流にバキュームブレーカ９を配置して、バキュームブレーカ９の下流の管内および貯溜室１０ｂ内の残水を噴出口１０ｃより排水しているが、噴出口１０ｃの開口面積が非常に小さく、わずかな水頭圧では貯溜室１０ｂ内の残水が抜けない場合がある。その場合には、例えば貯溜室１０ｂ内にサーミスタ等の温度検知手段を設け、所定の温度以下となった場合に電動開閉弁７を所定時間開き、貯溜室１０ｂ内の残水が凍結する事前に水を流動させることにより、凍結を防止することが出来る。
【００３４】
また、ここで、洗浄面１１ａの表面には機能的な材質を塗布しておくことが望ましい。例えば洗浄面１１ａの表面に防汚素材を塗布することで、洗浄面１１ａに対して汚物が付着しにくく、洗い落とし易くすることが出来る。また、洗浄面１１ａの表面に抗菌素材を塗布することで、細菌などの繁殖を防ぎ清潔に保つことが出来る。さらに、洗浄面１１ａの表面に親水性の素材を塗布することで、洗浄面１１ａが水に馴染み易く、少量の水でも洗浄面１１ａ全体に渡って広く洗浄することが出来る。
【００３５】
また、ここで、洗浄面１１ａの洗浄は温水で行ってもよい。例えば図４のように、安全弁８とバキュームブレーカ９の間に熱交換器１４を配置することにより、洗浄面１１ａを温水で洗浄することが出来るので、水よりも効果的に洗浄面１１ａを洗浄することが出来る。
【００３６】
また、ここで、本第一実施例では、ケーシング３の表面、あるいはリモコンに洗浄面１１ａ洗浄用のスイッチを設け、スイッチを押すことによって洗浄面１１ａを洗浄するようにしているが、例えば人体が便器１２を使用していることを検知することが可能な使用検知手段１５を設け、人体の用便後に、使用検知手段１５が検知状態から非検知状態に変化した際に電動開閉弁７を所定時間開き、水路に通水するように制御してもよい。これにより、人体が用便する度に洗浄面１１ａを洗浄することが可能であり、常に洗浄面１１ａを清潔に保つことが出来る。
【００３７】
この場合、さらに、使用検知手段１５が非検知状態から検知状態に変化した際にも電動開閉弁７を所定時間開き、水路に通水するように制御してもよい。これにより、人体の用便前に洗浄面１１ａを濡らすことによって、汚水が洗浄面１１ａに付着しにくくなり、また、用便後の洗浄面１１ａ洗浄の時に、洗浄面１１ａに付着した汚水を洗浄しやすくすることが出来る。
【００３８】
あるいは、使用検知手段１５が検知状態の間中水路に通水するように制御してもよい。これにより、排便、排尿時に、便器１２開口内の溜水面より跳ね返った汚水、あるいは飛び散った汚水は、洗浄面１１ａに付着することなく洗浄することが出来るので、常に洗浄面１１ａを清潔に保つことが出来る。
【００３９】
この時、使用検知手段１５としては、例えば便器１２近傍の人体を検知可能な人体検知センサを用いるとよい。近年の便器装置２は高機能化が進み、例えば人体までの距離を測定する光電測距型、あるいは人体から放出される赤外線を検知する焦電型センサ等をケーシング３内に配置し、その人体検知センサの検知信号により便ふた１６、あるいは便座１７を自動で開閉するものがある。そのような場合に、人体検知センサの出力信号を洗浄面１１ａの洗浄にも利用することが出来る。
【００４０】
また、この時、使用検知手段１５としては、例えば便座１７に人体が着座しているかどうかを検知可能な着座センサを用いてもよい。便器装置２が人体の局部を洗浄する温水洗浄手段である場合、人体が非着座時に、清掃時などに局部洗浄用スイッチが間違って押された場合にも局部への吐水がなされないよう、人体までの距離を測定する光電測距型、あるいは便座１７への荷重検知型等の着座センサを配置し、着座時にのみ局部洗浄可能としているものがある。そのような場合に、着座センサの出力信号を洗浄面１１ａの洗浄にも利用することが出来る。
【００４１】
また、この時、使用検知手段１５としては、例えば便座１７の温度を検知可能な便座温度検知センサを用いてもよい。便器装置２が、便座１７の中にヒータを有する暖房便座の場合、お尻の火傷などを防止する為に、サーミスタのような便座温度検知センサが組み込まれているものがある。人体が便座１７に着座する際お尻の温度と便座１７の温度の差により、便座温度検知センサの検知温度がわずかに変動する。この変動を人体の使用検知と見なし、洗浄面１１ａの洗浄のトリガーとしてもよい。便器装置２に人体検知センサや着座センサなど、人体の存在を検知する手段が搭載されていない場合にも洗浄面１１ａを洗浄することが出来る。
【００４２】
また、この時、使用検知手段１５として、便ふた１６の開閉状態を検知可能な便ふた開閉検知センサ、あるいは便座１７の開閉状態を検知可能な便座開閉検知センサを用いてもよい。便器装置２が機能を有していない普通便座等のように、人体の使用有無を検知する手段を有していない場合、便ふた１６、あるいは便座１７の動きだけが人体の使用を判断する手段となる。その場合、例えば便ふた１６、あるいは便座１７にホールＩＣを配置し、ケーシング３内に配置した便ふた開閉検知センサ、あるいは便座開閉検知センサがホールＩＣから印加される磁束密度の大きさによって、便ふた１６、あるいは便座１７の開閉状態を検知し、これらの状態変化を人体の使用検知と見なし、洗浄面１１ａの洗浄のトリガーとしてもよい。これにより、低コストで、省スペースにて人体の使用を検知することが出来る。
【００４３】
また、この時、便器装置２が人体の局部を洗浄する温水洗浄便座であった場合、温水洗浄便座の水路を構成する各構成部材を洗浄面１１ａ洗浄用の水路構成部材と併用することが望ましい。以下に図５の水路構成図をもとに、温水洗浄便座の水路構成を説明する。給水源１より給水された水は、まずストレーナ４によって給水された水に含まれるゴミが取り除かれる。これにより、ストレーナ４より下流に配置した各弁でのゴミ詰まりを防止するものである。
【００４４】
次にストレーナ４の下流に逆止弁５を配置している。これにより、給水源１に負圧が生じた場合の水路内の逆流を防止するものである。次に逆止弁５の下流に定流量手段６を配置している。これにより、給水圧を一定の水圧に減圧させ、吐水性能を安定させるものである。
【００４５】
次に定流量手段６の下流に電動開閉弁７を配置している。これにより、水路の開閉を行い、吐水すべきタイミングで水路を開くものである。次に電動開閉弁７の下流に安全弁８を配置している。これにより、定流量手段６が故障して定流量手段６以降の水路に高圧が印加された場合に、安全弁８より水を排出させ、その下流に配置した各部材が高圧によって悪影響を及ぼされることを防止するものである。さらにその下流には熱交換器１４が配置されており、水は温水となる。熱交換器１４の下流には流量調節弁１８があり、湯はそこで流量を調節され、さらにその下流に配置した局部流路切替弁１９によって、おしり洗浄、ビデ洗浄などの目的に叶う局部洗浄用流路が選択され、局部洗浄用ノズル２０を通って局部に吐水される。ここで、熱交換器１４の上流より水路を分岐することにより、洗浄面洗浄ノズル１０に給水させている。分岐箇所に洗浄用流路切替弁２１を配置した。
【００４６】
洗浄用流路切替弁２１では、図６のように、固定されたステータ２１ａに形成された局部洗浄流路、洗浄面洗浄流路にそれぞれ連通する局部洗浄ポート２１ｂ、洗浄面洗浄ポート２１ｃに対して、ロータ２１ｄが回転することにより各流路の開閉が行われ、局部洗浄（図６（１））、洗浄面洗浄（図６（２））、止水（図６（３））について、目的に叶う流路が選択される。また、洗浄用切替弁２１と洗浄面洗浄ノズル１０の間にバキュームブレーカ２２を配置し、逆流の防止、および洗浄後の残水処理を行うように配慮した。
【００４７】
これにより、温水洗浄便座の水路構成部材を併用することにより、洗浄面１１ａの洗浄独自に水路構成を組む必要が無く、洗浄用流路切替弁２１とバキュームブレーカ２２を追加すればよいので、安価に洗浄面１１ａの洗浄を実現させることが出来る。
【００４８】
ここで、図５では、熱交換器１４の上流より洗浄面１１ａの洗浄用水路を分岐しているが、図７のように、熱交換器１４の下流より分岐してもよい。熱交換器１４の上流より分岐した場合には下流より分岐した場合よりも流量が多く、また、熱交換器１４の下流より分岐した場合には上流より分岐した場合よりも水温が高いので、熱交換器１４の上流と下流では、どちらから分岐させてもそれぞれ効果的であり、どちらから分岐させるかは、洗浄面１１ａ洗浄の仕様の考え方に基づいて選択すればよい。
【００４９】
また、この時、図８のように、洗浄面洗浄ノズル１０をケーシング３下面の前方中心に設け、ケーシング３下面の後方に向かって放射状に洗浄水を供給させてもよい。
【００５０】
次に、図９を用いて、本発明の第二実施例を説明する。第一実施例では、排便、排尿時に、便器１２開口内の溜水面より跳ね返った汚水、あるいは飛び散った汚水が最も付着し易い面であると想定して、ケーシング３の下面のうちの便器１２開口部の内側領域を洗浄面１１ａとして設定していた。
しかし例えば便器装置２が温水洗浄便座、あるいは脱臭機能、温風機能等を有している場合、図１０のように、ケーシング２の下面のうちの便器１１開口部の内側領域には、温水洗浄便座の局部洗浄用ノズル２０、不要水の排水口２３、脱臭ユニット２４、温風ユニット２５等が配置されており、凹凸が多く平坦でない為、洗浄面として洗浄することは困難である。
【００５１】
その場合には、図９のように、ケーシング３の下面のうちの便器１２開口部の内側領域を覆うカバー部材２６をケーシング３とは別体に設け、その便器１２開口部と対向する面を洗浄面１１ｂとして想定し、洗浄すればよい。これにより、既存の便器装置２に搭載されている脱臭機能や温風機能等を損なうことがなく、また、ケーシング３の下面のうちの便器１２開口部の内側領域はカバー部材２６によって覆われているので汚水が付着することもない。また、洗浄面１１ｂとして想定したカバー部材２６の便器１２開口部と対向する面は洗浄面洗浄ノズル１０より噴出される水で洗浄するので、洗浄面１１ｂに付着した汚水をきれいに取り拭うことが出来る。よって、ケーシング３の下面、およびカバー部材２６は全て清潔に保つことが出来る。
【００５２】
次に、図１１、図１２を用いて、本発明の第三実施例を説明する。
第一実施例、第二実施例では、便器１２開口内の溜水面より跳ね返った汚水、あるいは飛び散った汚水が最も付着し易い面であると想定して、ケーシング３の下面のうちの便器１２開口部の内側領域、あるいはその領域を覆うカバー部材２６を洗浄面１１ａ、１１ｂとして設定した。
しかし、これらの領域は目につきにくい箇所であり、それ以上に目につく箇所を洗浄したいという考え方もある。その場合には、特に男子の立ち小便時に、ケーシング３の前面には飛び散り尿が被り易いので、ケーシング３の前面を洗浄面１１ｃとするとよい。
【００５３】
男子の立ち小便時には、便ふた１６、便座１７が開かれ、洗浄面１１ｃであるケーシング３の前面が露出する。その為、ケーシング３の前面には飛び散り尿が被り易い。洗浄面１１ｃの洗浄時には、噴出口１０ｃよりケーシング３の前面に沿って下方に水が噴射され、便器１２開口内に排水される。この時、ケーシング３の前面下方の左右には、洗浄水を便器１２開口内に導くガイド１３ｃを設けているので、洗浄水が便器１２外に落ちることは無い。これにより、目につき易く、且つ男子小便が飛び散り易いケーシング３の前面を洗浄することが出来る。
【図面の簡単な説明】
【００５４】
【図１】本発明の便器装置の洗浄面洗浄ノズルまでの水路構成を示す図である。
【図２】本発明の第一実施例における洗浄面の洗浄方法を示す断面図である。
【図３】本発明の第一実施例における洗浄面の洗浄方法を示す上面図である。
【図４】本発明の便器装置の洗浄面洗浄ノズルまでの水路構成を示す図である。
【図５】本発明の便器装置が温水洗浄便座である場合の水路構成を示す図である。
【図６】本発明の便器装置が温水洗浄便座である場合の水路分岐箇所に配置した洗浄用流路切替弁のしくみを示す図である。
【図７】本発明の便器装置が温水洗浄便座である場合の水路構成を示す図である。
【図８】本発明の第一実施例における洗浄面の洗浄方法を示す（ａ）上面図と（ｂ）斜視図である。
【図９】本発明の第二実施例における洗浄面の洗浄方法を示す断面図である。
【図１０】既存の温水洗浄便座のケーシング下面のうち便器開口部の領域の様子を示した下面図である。
【図１１】本発明の第三実施例における洗浄面の洗浄方法を示す正面図である。
【図１２】本発明の第三実施例における洗浄面の洗浄方法を示す断面図である。
【図１３】従来の便器装置のケーシング下面を清掃する手段の一形態の図である。
【図１４】従来の便器装置のケーシング下面および前面を清掃する手段の一形態の図である。
【符号の説明】
【００５５】
１…給水源
２…便器装置
３…ケーシング
４…ストレーナ
５…逆止弁
６…定流量手段
７…電動開閉弁
８…安全弁
９…バキュームブレーカ
１０…洗浄面洗浄ノズル
１１…洗浄面
１２…便器
１３…ガイド
１４…熱交換器
１５…使用検知手段
１６…便ふた
１７…便座
１８…流量調節弁
１９…局部流路切替弁
２０…局部洗浄用ノズル
２１…洗浄用流路切替弁
２２…バキュームブレーカ
２３…排水口
２４…脱臭ユニット
２５…温風ユニット
２６…カバー部材
２７…昇降機構
２８…着脱パネル
【図１】
2005105546.tif 000003
【図２】
2005105546.tif 000004
【図３】
2005105546.tif 000005
【図４】
2005105546.tif 000006
【図５】
2005105546.tif 000007
【図６】
2005105546.tif 000008
【図７】
2005105546.tif 000009
【図８】
2005105546.tif 000010
【図９】
2005105546.tif 000011
【図１０】
2005105546.tif 000012
【図１１】
2005105546.tif 000013
【図１２】
2005105546.tif 000014
【図１３】
2005105546.tif 000015
【図１４】
2005105546.tif 000016